(57)【特許請求の範囲】
【請求項１】
プールの底面に凹設した集水桝の開口をプール底面と略面一となるように多孔蓋で閉塞すると共に、集水桝内に吸水管が連通接続されてなる集水桝構造において、
水の流通を許容するが人体の通過は阻止する単数又は複数の構造部材が、多孔蓋により閉塞された集水桝内に収容配置されており、
前記構造部材は、
前記集水桝の底面に載せられる脚部と、
この脚部の上端に固定され、人体の通過を阻止する阻止面が設けられた上枠部と
を備えている
ことを特徴とする、プールの集水桝構造。
【請求項２】
前記構造部材は、集水桝の開口側から見て集水桝の略全面に亙って敷き詰められている、
請求項１記載のプールの集水桝構造。
【請求項３】
前記阻止面が、前記多孔蓋と略平行に配置された多孔板である、
請求項１又は請求項２のいずれかに記載のプールの集水桝構造。
【発明の詳細な説明】
【技術分野】
【０００１】
本発明は、プールの集水桝構造に関するものである。
【背景技術】
【０００２】
従来からプールには、内面の一部を凹設した集水桝が設置されている。この集水桝は、プールの内面と略面一状となるように多孔蓋でその開口が閉塞されており、集水桝内にはプールに貯溜された水を循環したり或いは排水したり等するための吸水管が連通接続されている（例えば、特許文献１参照）。
【０００３】
ところで、通常、集水桝の開口を閉塞する多孔蓋は、プールの内面の一部にボルト・ナット等によって固定されており、簡単には取り外すことができないようになっている。しかし、プールを長年使用していると、ボルト・ナットが不意にはずれてしまったり、ボルト・ナットが腐食してしまったりして、予期せず多孔蓋が外れてしまうこともあり得る。仮に多孔蓋が外れてしまうと、吸水管に流れ込む水の力は相当大きいため、吸水管内に子供が吸い込まれたりする等、事故に繋がりかねない。
【０００４】
そこで特許文献１に示されたものは、集水桝内に臨む吸水管の開口をメッシュ部材にて固定的に閉塞することで、仮に多孔蓋が外れてしまった場合であっても、吸水管の開口を塞ぐメッシュ部材で子供等が吸水管内へ吸い込まれるのを防止しようとするものである。
【先行技術文献】
【特許文献】
【０００５】
【特許文献１】特開平１０−８７５１号公報
【発明の概要】
【発明が解決しようとする課題】
【０００６】
確かに上記のような構成によれば、吸水管の開口がメッシュ部材で閉塞されているため、仮に集水桝の多孔蓋が外れた場合であっても、配管内へ人が吸い込まれること自体は防ぐことができる。
【０００７】
ところがこのものは、吸水管内へ人が入ってしまうのを配管の開口部分に蓋をすることにより防ぐものに過ぎないため、吸水管からの吸込み力が強い場合には、子供等力の弱い者は引き込まれてしまうという危険がある。特に、特許文献１の集水桝の内部は、何も設けられていない空所となっており、そのスペースは子供が入り込めてしまう程の大きさであることがほとんどである。このため、ひとたび子供等が集水桝内部に入り込んでしまうと吸水管に引き込まれる可能性が高く、その結果、事故に繋がるおそれがあった。このため安全対策としては未だ改善の余地があった。
【０００８】
本発明は、上記事情に鑑みてなされたものであり、その目的とするところは、吸水管の開口から離れた部分で人体の吸い込みを阻止すると共に、簡単に多重的に安全対策を施すことができるプールの集水桝構造を提供することにある。
【課題を解決するための手段】
【０００９】
上記課題を解決するために本発明のプールの集水桝構造は以下の構成を有する。
【００１０】
すなわち、本発明は、プールの底面に凹設した集水桝２の開口２１をプール底面と略面一となるように多孔蓋３で閉塞すると共に、集水桝２内に吸水管４が連通接続されてなる集水桝構造である。水の流通を許容するが人体の通過は阻止する単数又は複数の構造部材５が、多孔蓋３により閉塞された集水桝２内に収容配置されている。構造部材５は、集水桝２の底面に載せられる脚部５１と、この脚部５１の上端に固定され、人体の通過を阻止する阻止面８が設けられた上枠部５２とを備えている。
【００１１】
構造部材５が集水桝２内に配設されると、少なくとも構造部材５と多孔蓋３とで吸水管４に人体が吸い込まれるのを防止する。このとき、構造部材５を介した水の流れが生じるが、構造部材５は吸水管４の開口から離れた位置で人体の吸い込みを防止するので、構造部材５近傍では引き込む力は弱くなる。さらに、構造部材５を集水桝２内に配置するだけで追加的に安全対策が可能であるため、既存のプールに対しても簡単に多重的に安全対策を施すことができる。さらに、本発明は、構造部材５を集水桝２内に配置する構成であるため、従来のような吸水管４の開口部分の安全対策と併用することも可能であり、より一層安全を考慮したものとすることが可能となる。
【００１２】
また、本発明の構造部材５は、集水桝２の開口２１側から見て集水桝２の略全面に亙って敷き詰められているのが好ましい。
【００１３】
構造部材５が集水桝２の略全面に亙って敷き詰められていると、集水桝２内に人が入り込んでしまうことを防止できる。
【００１４】
また、本発明の阻止面８が、前記多孔蓋３と略平行に配置された多孔板９であることが好ましい。
【００１５】
構造部材５が多孔蓋３と略平行に配置された多孔板９を有していると、仮に多孔蓋３が外れてしまった場合であっても、身体全体の通過を防ぐだけでなく身体の一部の通過をも防ぐことができる。
【発明の効果】
【００１６】
本願発明によれば、吸水管の開口から離れた部分で人体の吸い込みを阻止すると共に、簡単に多重的に安全対策を施すことができる。
【図面の簡単な説明】
【００１７】
【図１】本発明の一実施形態を説明するための図であり（ａ）は多孔蓋を省略した上面図であり（ｂ）は側断面図である。
【図２】同上の他の方向から見た断面図である。
【図３】本実施形態の他の集水桝であり（ａ）は側断面図であり（ｂ）は多孔蓋を省略した上面図である。
【図４】本実施形態のさらに他の集水桝であり（ａ）は多孔蓋を省略した上面図であり（ｂ）は側断面図である。
【図５】本実施形態の側面に設けられた集水桝であり（ａ）は構造部材を省略した側断面図であり（ｂ）は多孔蓋を省略した集水桝を正面から見た図であり（ｃ）は集水桝内を上から見た図である。
【図６】本実施形態の構造部材を説明するための図であり（ａ）は上面図であり（ｂ）は側面図であり（ｃ）は正面図である。
【図７】本実施形態の他の構造部材を説明するための図であり（ａ）は上面図であり（ｂ）は正面図である。
【図８】他の実施形態の構造部材を説明するための図であり（ａ）は上面図であり（ｂ）は側面図であり（ｃ）は正面図である。
【図９】同上の他の構造部材を説明するための図であり（ａ）は上面図であり（ｂ）は正面図である。
【発明を実施するための形態】
【００１８】
以下、本発明の実施形態について添付図面に基づいて説明する。
【００１９】
本実施形態のプールはいわゆる流水プールである。この流水プールは、流路１１が環状に形成されており、プール内に貯溜された水が一方向に流れるようになっている。プール内の水は、プール内と連通する吸水管４を介してポンプ等の送水手段によりプール外部に取り出され、流水プール内のゴミ等を濾過して浄化する浄化装置（図示せず）を介して再び噴出口（図示せず）からプール内部に噴出される。この噴出口は、プール内面１に沿うように開口が臨ませてあり、一方向への水の流れを生じさせる。この吸水管４及び噴出口は、流水プールの流路１１の長さに応じて適宜設けられている。なお、図１や図４等に示された符号Ｌは、水面を表している。
【００２０】
吸水管４は、図１や図５等に示されるように、プールの内面１に形成された集水桝２の内面に連通接続されている。本実施形態の集水桝２には、プールの底面に設けられたものと、プールの側面に設けられたものとがある。
【００２１】
図１〜４に示される集水桝２は、プールの底面に凹設された直方体状の凹部であり、上方が開口している。本実施形態の流水プールにはプール底面に設けられた集水桝２が複数箇所に設けられており、それぞれの集水桝２は、平面視における短辺が略同じ長さであり、また深さもそれぞれが略同じ長さであるが、長手方向（流路１１に沿った方向）の長さが異なっている。
【００２２】
図５に示される集水桝２は、プールの側面に凹設された直方体状の凹部であり、側方が開口している。
【００２３】
これら各種の集水桝２の開口２１には多孔蓋３が設けられている。この多孔蓋３は、プール底面又は側面（すなわち、プールの内面１）と略面一状となるように、ボルト・ナットを用いた固定手段３１によりプール内面１に固定されている。本実施形態の多孔蓋３は、パンチングシート３ａにて構成されており、集水桝２の開口に設置されてもその孔により集水桝２内とプールの流路１１内とを連通する。
【００２４】
集水桝２内には、図１等に示されるように、地中を通る吸水管４の開口端部が集水桝２内に臨むように連通接続されている。この吸水管４の開口には吸い込み防止用の柵７が取り付けられている。この柵７は、図２に示されるように、金属製の棒状部材７１を一定の間隔で離間させて配置されており、吸水管４の開口端面と溶接により固着一体化されている。なお、図１〜４に示された吸水管４は、集水桝２の側面に連通接続されており、図５に示された吸水管４は、集水桝２の奥面（側方に位置する底面）に連通接続されている。
【００２５】
このような構成の集水桝２には、単数又は複数の構造部材５が隣接配置されている。本実施形態の構造部材５は、図１〜４，６のような底用構造部材５０と、図５，７のような側用構造部材６０とがある。これら構造部材５はいずれも、水の流通を許容するが人体の通過は阻止するようになっている。
【００２６】
底用構造部材５０は、耐腐食性の金属製の材料により形成されており、図６に示されるように、４隅部に設けられた脚部５１と、この脚部５１の上端に設けられた上枠部５２とを有している。また、これらは溶接等により一体化されている。上枠部５２には、矩形枠５３の長手方向に並ぶように一定の間隔で並設され且つ短辺と略平行な複数のリブ部５４が固設されている。上枠部５２の上面には多孔板９がねじ等の固着具を介して固着されており、この多孔板９は各リブ部５４の上端に当接している。この多孔板９は、金属薄板の略全面に亘って小孔が穿設されたものであり、人体の通過を阻止する面（以下、阻止面８という）を構成している。本実施形態では、多孔板９としてパンチングシートを用いているが、例えばエキスパンドメタルを用いることも可能である。
【００２７】
またこの底用構造部材５０の高さは、図１等に示されるように、集水桝２の深さよりも小さくなっており、集水桝２を多孔蓋３で閉塞した状態で集水桝２内に収容できるような寸法となっている。集水桝２内に底用構造部材５０を配置すると、底用構造部材５０は、多孔蓋３の下方に位置し、多孔板９と多孔蓋３とは近接して対向し且つ略平行となる。
【００２８】
このような構成の底用構造部材５０は、集水桝２の長手方向に並ぶように隣接配置される。平面視において、集水桝２の長辺に沿って底用構造部材５０の短辺が並ぶように集水桝２内に底用構造部材５０が敷き詰められており、集水桝２の内側面と底用構造部材５０の外側面との間の隙間には、人が入り込めないようになっている。また、隣接配置された底用構造部材５０間の隙間も同様に、人が入り込めないような間隔とされている。なお、集水桝２内に収納配置される構造部材５の数量は、図１に示される集水桝２では９個であり、図３及び図４では３個となっている。
【００２９】
側用構造部材６０も、底用構造部材５０と同様に、耐腐食性の金属製の材料により形成されている。図７に示されるように、矩形状の本体枠部６１には多孔板９が固着具を介して固着されており、この多孔板９が人体（身体）の通過を阻止する阻止面８を構成している。本実施形態では、多孔板９としてパンチングシートを用いているが、例えばエキスパンドメタルを用いることも可能である。
【００３０】
側用構造部材６０の本体枠部６１の外周面には、ボルト挿通孔６４が穿設されており、そのボルト挿通孔６４の開口と中心同士を略一致させてナット６５が溶接されている。そして、そのナット６５には長尺のボルト６６が螺合されている。側用構造部材６０を集水桝２の内部に保持させるためには、図５に示されるように、このボルト６６を螺進させ、各ボルト６６先端で集水桝２の内周面を押圧させてその位置を保持する。つまり、ボルト挿通孔６４及びナット６５及びボルト６６が、側用構造部材６０を集水桝２の内部に保持させるための保持手段６７を構成している。
【００３１】
またこの側用構造部材６０の奥行き方向の長さは、図５（ｃ）に示されるように、集水桝２の深さよりも小さくなっており、集水桝２を多孔蓋３で閉塞した状態で集水桝２内に収容できるような寸法となっている。集水桝２内に側用構造部材６０を配置すると、側用構造部材６０は、多孔板９と多孔蓋３とが対向し且つ略平行となる。
【００３２】
このような構成の側用構造部材６０は、集水桝２内に単数で配置される。集水桝２の内側面と側用構造部材６０の外側面との間の隙間は、人が入り込めない大きさとなっている。
【００３３】
このようにいずれの構造部材５においても、構造部材５が吸水管４の開口を覆うように配置され、特に、阻止面８が吸水管４の開口を覆うようになっている。
【００３４】
以上のように構造部材５が集水桝２内に配設されると、吸水管４の開口に設けられた柵７と、構造部材５と、多孔蓋３とで３重に安全対策を行なうことができる。このとき、構造部材５を介して吸水管４による水の流れが依然生じるが、構造部材５は吸水管４の開口から離れた位置で人体の吸い込みを防止するので、吸水管４の開口近傍と比較して、構造部材５近傍では引き込む力は弱くなる。つまり、吸水管４の開口に設けられた柵７だけの安全対策よりも一層安全なものとすることができる。
【００３５】
さらに、構造部材５を集水桝２内に配置するだけで追加的に安全対策が可能であるため、既存のプールに対しても簡単に多重的に安全対策を施すことができる。特に、底用構造部材５０は、一定の大きさのものを複数隣接配置する構成となっているため、本実施形態のように多種の集水桝２に対しても、その個数を増減するだけで対応することができる。つまり構造部材５を大量生産すれば、数量の管理も容易となり、コスト削減や在庫管理にも有利となる。
【００３６】
さらに本実施形態の底面における構造部材５は、集水桝２の略全面に亘って敷き詰められていると共に、その上面が多孔蓋３と近接対向するほどの高さを有しているため、子供等が集水桝２内に入ろうとしても侵入することができないようになっている。このため、集水桝２内に子供等が入り込んでしまうことも防止できる。
【００３７】
その上、本実施形態の底用構造部材５０の上面は多孔蓋３と近接対向しているため、仮に多孔蓋３が外れたとしても多孔蓋３は、構造部材５の上面に当接し支持される。つまり、多孔蓋３が集水桝２内に落ち込むことも防止でき、この点においても安全上利点を有する。
【００３８】
また、構造部材５が多孔蓋３と略平行に配置された多孔板９を有していると、仮に多孔蓋３が外れてしまった場合であっても、身体全体の通過を防ぐだけでなく、足などの身体の一部分の通過をも防ぐことができる。これにより、多孔蓋３が外れた場合に、例えば、足が集水桝２内に落ち込んで、身長の低い人が溺れてしまうのを防ぐことができる。
【００３９】
次に、他の実施形態について図８，９に基づいて説明する。なお本実施形態は、図１〜７に示す実施形態と大部分において同じであり、上述した実施形態とは構造部材の構成が異なっている。以下、上述の実施形態とは異なる点を中心にして説明する。
【００４０】
本実施形態の底用構造部材５０は、図８に示されるように、上枠部５２に矩形枠５３の長手方向に並ぶように一定の間隔で並設され且つ短辺と略平行な複数のリブ部５４が固設されており、矩形枠５３の短辺の略中央同士を結び且つ複数のリブ部５４の上端に当接する中枠部５５が固設されている。この矩形枠５３とリブ部５４と中枠部５５はそれぞれ溶接されている。本実施形態における上枠部５２の矩形枠５３とリブ部５４と中枠部５５とで区画された領域は、１０ｃｍ×１０ｃｍよりも小さくなるように形成されており、人体の通過を阻止するような間隔となっている。つまり、本実施形態の底用構造部材５０においては、水平な上面が阻止面８を構成している。さらに、底用構造部材５０の中枠部５５は、丸棒から構成されており、上記のように矩形枠５３の内部の領域を小領域に区画させるほか、底用構造部材５０を持ち運び容易とさせる把持部５６を兼ねている。
【００４１】
側用構造部材６０は、図９に示されるように、矩形状の本体枠部６１の短辺と平行な複数の中枠部６２が長手方向に並ぶように設けられている。側用構造部材６０の側面（図９（ｂ）の紙面表面側の面）は、本体枠部６１と中枠部６２とで区画される領域が人体の通過を阻止するような小領域となっており、この側面が阻止面８を構成している。さらに、この中枠部６２は、丸棒で形成されており、側用構造部材６０を持ち運び容易とさせる把持部６３も兼ねる。
【００４２】
なお、底用構造部材及び側用構造部材６０のその他の構成は、上述した実施形態の構成と同じ構成となっている。
【００４３】
このような構成によれば、構造部材５をプールの集水桝２内部に配置するに当たり、把持部５６，６３が設けられているため、持ち運びが容易であり、作業しやすいという利点がある。
【００４４】
以上、本発明のプールの集水桝構造を流水プールに基づいて説明したが、本発明は流水プールに限られるものではなく、例えば、集水桝２として排水桝を用い、この排水桝に設けられた排水管や、プール水循環のために用いられる吸い込み管等においても当然適用可能である。
【００４５】
また本実施形態では、プール内面１に多孔蓋３を固定する固定手段３１としてボルト・ナットが用いられていたが、本発明においては特に限定されない。例えば、固定手段３１として溶接やリベット留めを適用することも可能である。
【００４６】
また本実施形態では集水桝２内に構造部材５が敷き詰められていたが、本発明は集水桝２内の構造部材５が吸水管４の設けられた側に寄せて配置され、その反対側が空所となっていてもよいものとする。その際、吸水管４の設けられた側に寄せられた構造部材５のうち、吸水管４とは最も離れた構造部材５の側面に阻止面８を形成し、上面及び側面の阻止面８により吸水管４を覆えば、より安全対策を施したものとなる。
【符号の説明】
【００４７】
１      プール内面
１１    流路
２      集水桝
２１    開口
３      多孔蓋
３ａ    パンチングシート
３１    固定手段
４      吸水管
５      構造部材
５０    底用構造部材
７      柵
７１    棒状部材
８      阻止面
９      多孔板
【図１】
0005520075.tif 000002
【図２】
0005520075.tif 000003
【図３】
0005520075.tif 000004
【図４】
0005520075.tif 000005
【図５】
0005520075.tif 000006
【図６】
0005520075.tif 000007
【図７】
0005520075.tif 000008
【図８】
0005520075.tif 000009
【図９】
0005520075.tif 000010